(57)【要約】【課題】  本発明は、履きやすい、歩きよい、しかも接地部の摩耗を極力阻止できる下駄を提供しようとするものである。【解決手段】  履物の台を、足の土踏まず部分が位置する箇所は、盛上り部とし、踵が位置する箇所は降斜面とし、足の指の着け根部分は膨張面とし、爪先が位置する箇所と降斜面とし、台裏の接地部の接地面には、端面を環状枠、方形状枠等としたチップ状部材の端面を面位置を同じくして埋め込む。【選択図】図１
2015089458.tif 000002
【特許請求の範囲】
【請求項１】
履物の鼻緒を挿げて成る台の表面を、足裏の土踏まずが位置する箇所を盛り上り面とし、踵が位置する箇所を降斜面とし、足の指の着根が位置する箇所を膨面とするとともに、爪先の位置する箇所に向って降斜面として成るように形成したことを特徴とする履物。
【請求項２】
履物の台の裏側に形成する接地部の接地面に、履物の材料よりは硬い材料で作った端面を環状枠、方形枠として形成した小径の短筒状のチップ状部材、断面をＵ字形状として成り端面を二条の平行細長面として形成したチップ状部材のいずれかのチップ状部材の端面を、面位置を同じくして埋め込んで成る構成としたことを特徴とする履物。
【発明の詳細な説明】
【技術分野】
【０００１】
本発明は、和服を着用したときに用いる下駄、草履等の履物についての発明である。
【背景技術】
【０００２】
和服を着用したときに用いる履物として、下駄、草履がある。
その履物には、普段着と称する和服を着用したときに用いる下駄、草履があり、或は、人を接待したり、人から接待された場所に出席するため、いわゆる余所行きと称する和服を着用したときに用いる下駄、草履がある。
【０００３】
普段着と称する和服を縫製する反物と、余所行きと称する和服を縫製する反物とは、一般に異なる反物が使われ気品のある和服として縫製されている。
普段着と称する和服を着用するときに用いる履物と、余所行きと称する和服を着用するときに用いる履物とは、一般に異なる材料が使われ気品を備えた履物として造られている。
即ち、普段着と称する和服を着用するときに用いる履物（以下、「普段履」と称する。）は一般に履物としての体裁を備えていればそれで良とされている。
しかし、余所行きと称する和服を着用するときに用いる履物（以下、「余所行きの履物」と称する。）は、勿論、履物としての体裁を備えていなければならないが、それだけでなく前記和服と調和のとれた趣を呈する気品を備えたものが用いられている。
【０００４】
前記した普段履きに用いる履物（下駄）については、履いたときの足裏に対して有効な指圧効果を発揮する構造から成る発明が開発され、この発明が特開平９−２３８７０２号公報に開示されている。
【０００５】
また、前記した普段履きに用いる履物（下駄）については、歩いたときに接地面の摩耗を阻止し、且つ適当なクッション効果を発揮する構造から成る発明が実用新案登録第３０４６１３６号公報に開示されている。
【０００６】
上記した発明を、余所行きの履物に実施したときは履物のもつ趣を壊してしまうことは明らかである。
【０００７】
ところが、これまで履物、特に余所行きの履物について、その趣を壊さずに履きやすい履物の接地面の摩耗阻止、滑り止め阻止を、完全に果たす発明は開発されていなかった。
【先行技術文献】
【特許文献】
【０００８】
【特許文献１】特開平９−２３８７０２号公報
【特許文献２】実用新案登録第３０４６１３６号公報
【発明の概要】
【発明が解決しようとする課題】
【０００９】
本発明は、履物である下駄、草履を履いたとき、履物の足が乗る台の面を、足の裏にかかる体重を、足の裏全体がバランスよく受けるようにし、履物である下駄、草履の持つ趣を維持し、履物である下駄、草履の接地面の摩耗を阻止する機能を発揮する履物とすることにしようとするものである。
【課題を解決するための手段】
【００１０】
履物の鼻緒を挿げて成る台の表面を、足裏の土踏まずが位置する箇所を盛り上り面とし、踵が位置する箇所を降斜面とし、足の指の着根が位置する箇所を膨面とするとともに、爪先の位置する箇所に向って降斜面として成るように形成した。
また、履物の台の裏側に形成する接地部の接地面に、履物の材料よりは硬い材料で作った端面を環状枠、方形枠として形成した小径の短筒状のチップ状部材、断面をＵ字形状として成り端面を二条の平行細長面として形成したチップ状部材のいずれかのチップ状部材の端面を、面位置を同じくして埋め込んで成る構成とした。
【発明の効果】
【００１１】
本発明にかかる履物の台は、前記した「課題を解決するための手段」の項に記載した構成としたので、履くときに履きやすく、しかも歩くときに歩き良い履物とすることが出来る。
また、本発明にかかる履物の接地部である歯を前記した「課題を解決するための手段」の項に記載した構成としたので、歯の保護について不体裁な形となるような摩耗を阻止する部材の配設の考え方を改めるよう工夫し、履物の品位を損傷しない履物とすることが出来る。
【図面の簡単な説明】
【００１２】
【図１】本発明の一実施形態の履物（本実施形態では下駄）の構成を概略的に示す図であって、図１（ａ）は平面図、同図（ｂ）は側面図、同図（ｃ）は同図１（ｂ）のＡ−Ａ線断面図。
【図２】前記履物（下駄）の台の底面図。
【図３】前記台の接地部（図示では歯）に配置する部材の一例の構成を概略的に示す図であって、図３（ａ）は斜視図、同図（ｂ）は縦断面図。
【図４】前記下駄の台の構成を概略的に示す縦断面図。
【図５】前記下駄の台の構成を概略的に示す正面図。
【発明を実施するための形態】
【００１３】
以下、図面を参照して本発明の実施形態の一例を、履物の中、下駄を例にとって説明する。
【００１４】
図１（ａ）は、下駄と称される履物の平面図である。
下駄は一般に、普段履きの下駄と余所行きの下駄とも区別して使われていた。普段履きの下駄も余所行きの下駄も、図１（ａ），（ｂ）に示すとおり台１には鼻緒２が挿げられている。その下駄の台１の表面は扁平に形成され、台１の裏面には接地部としての歯３が形成された構成と成っている。
【００１５】
図１（ｂ）は、本発明にかかる下駄（履物）の側面図であり、図１（ｃ）は、図１（ｂ）のＡ−Ａ線断面図である。
本発明は図１（ｂ）等に示すように、下駄の台１は下駄を履いたとき、足裏の土踏まずが位置する部分１Ａは盛り上がり状態に形成され、踵が位置する部分は降斜面１Ｂとして形成され、指の着根が位置する部分は膨み部１Ｃとして形成され、爪先の位置する部分に向って降斜面１Ｄとして構成した。
【００１６】
通常の下駄の台１の表面は扁平に構成されていた。この構成は、下駄の台は扁平に作られるものであると言う既成概念に基づいて作られていた。これまでは台について下駄を履いた場合に足裏にかかる体重を合理的に受け止めることを考慮しない従来の構成を当然の構成としてそのまま受け継いで構成されている。
【００１７】
下駄を履いたとき、下駄の台１の面を足裏にかかる体重を利用して指圧効果を発揮する面とする発明が特許文献１に記載されているが、この発明は、履きやすい、或は歩きやすい下駄とする発明でもなければ、余所行きのときに履く下駄に施す発明でもない。
【００１８】
本発明の構成は、前記した「発明が解決しようとする課題」の項に記載したように、まず履きやすく、履いたとき違和感がなく、歩いたときに歩きやすい下駄を作るにはどのようにした構成としたらよいのかを考えている中に考えついた構成である。
下駄の台１を前記した「課題を解決するための手段」の項に記載した構成とすることによって、本発明者は本発明の下駄を履くとき、履いたとき、歩くときに足の裏にかかる体重が本発明にかかる下駄の台が自然の形で受け止められることを感じ取った。
それだけでなく、本発明を実施した試作品を作り、これを数人に試してもらったところ、数人とも同じ感覚をもったとの報告があった。
また、前記した構成とすることは、下駄の台１の形状を特に目立った形とするものでなく、見た目にはこれまでの下駄と目立った変化はない下駄とすることが出来る。
即ち、本発明は、普段履に用いる下駄だけでなく、高級な下駄について実施してもこれまでの下駄の外見を大きく変化させるものではなく、それなりの品位を保った下駄とすることが出来る。
【００１９】
下駄は、下駄を履く度に接地部である歯３は摩耗して擦り減り、また、履く人の歩き癖によって台の爪先方向を擦り減らしたり、或は、台の踵方向を擦り減らしたり、また、歯の左側や右側に片寄って擦り減らしてその減り方によっては高級な下駄でも不体裁な台無しの下駄にしてしまうことがある。
このような状態となった下駄は、高級な下駄は、高級な下駄であればあるほど人前には履いて出られない台無しな下駄になってしまうと言う不都合を生じる。
【００２０】
本発明は普段履きに用いる下駄については勿論のこと特に高級な下駄について、前記したような不都合の生じるのを阻止するために、開発した発明である。
【００２１】
そこで、その実施形態について更に詳細に説明する。
【００２２】
図１（ａ），（ｂ）、図４等に詳細に示すように、下駄の接地部である歯３の接地面の所望な箇所に、図３に示すような端面を環状とした端筒形のチップ状部材を埋め込む穴４を穿設し、その穴に前記したチップ状部材５を埋め込む。
【００２３】
チップ状部材５は、図３に示した構成のものばかりでなく図示しないが端面を方形枠状とした端筒形のチップ状部材でもよければ、断面をＵ字状の桶形とし、端面を二条の平行細長面としたチップ状部材としたものでもよい。
【００２４】
そのチップ状部材５は図１（ｃ）、図４等に示すように、その端面を下駄の接地部である歯３の接地面と、面位置を一致させた状態を保持するように穿設された穴に埋め込む。
【００２５】
これは、下駄、特に高級な下駄の歯の材質を考え、下駄の使用が頻繁に行われ、特に下駄の歯の接地面の部分が不体裁で摩擦することにより下駄の有する品位を損傷するのを阻止するためである。
【００２６】
前記したチップ状部材の端面を環状、方形枠状、二条の細長面としたのを使用するとしたのは、端面を扁平面とするよりは、接地面を少なくする方が滑り止め機能を発揮しやすいものとなるからである。このことは公知の事実から明らかにすることが出来る。
【００２７】
また、前記したチップ状部材は下駄の歯の耐磨耗性を強化するものとして使用されるものであるから、下駄を作る材料より硬いものであれば金属、ゴム、合成ゴム、合成樹脂等の中からその材料を選択すればよい。
【００２８】
特に、余所行きの下駄は、歯が減ったままの状態で履くとは勿論、この下駄を脱いで玄関先に揃えて並べられたときは、その下駄の歯の減りが目立ち、そのため下駄の見栄をくずし、その下駄の所有者は恥ずかしい思いをすることがある。
【００２９】
なお、上記した実施形態では、本発明を下駄に適用した例を開示したが、本発明は上述したように草履等の履物にも適用可能なものである。
【符号の説明】
【００３０】
１    台
２    鼻緒
３    接地部（歯）
４    チップ状の部材を埋め込む穴
５    チップ状部材
【図１】
2015089458.tif 000003
【図２】
2015089458.tif 000004
【図３】
2015089458.tif 000005
【図４】
2015089458.tif 000006
【図５】
2015089458.tif 000007